(57)【要約】【課題】ゴルフ場において時々発生するゴルフトーナメントのとき等、ＶＩＰを相応におもてなしできるイベント観覧用の移動組立式建物を提供する。【解決手段】架台上に設置される観覧室と、この観覧室の直上に設置されるデッキ面と、このデッキ面の上部に設置される組立式の屋根と、前記観覧室の少なくとも前面には、イベント会場全体を眺めることができる窓と、この窓に面して着席できる複数段列の席と、その他所要の付属設備を有し、レンタルされることを特徴とする。【選択図】      図１
2005023544.tif 000002
【特許請求の範囲】
【請求項１】
各種イベント開催時、イベント会場の一画に一時的に設置されるイベント観覧用の移動組立式建物であり、
見晴らし台とすべき高さの組立式の架台と、これら架台の周囲を覆うネット又はシート状の化粧材と、前記架台上に設置される組立式の観覧室と、この観覧室の直上に設置される屋外デッキ面と、このデッキ面の上部に設置される組立式の手摺り並びに屋根とを有し、
前記、観覧室の少なくとも前面にはイベント会場を眺めることができる窓を有し、背面及び側面には、地面及び前記観覧室並びに前記デッキ面間を自由に往来できる組立式の階段を設け、
前記観覧室の室内には、観覧用の複数段列の椅子と、冷暖房設備と、前記イベント内容を見ることができるテレビモニターとを有し、前記デッキ面にも観覧用の椅子及びテーブルの設置を必須とすることを特徴とするイベント観覧用の移動組立式建物。
【請求項２】
請求項１に記載のイベント観覧用の移動組立式建物において、当該建物は、レンタル商品とされ、各イベント開催に応じて期間レンタルし、イベント開始時点で各イベント会場の一画に組立て設置し、イベント終了時点で撤去し、次のイベントに対してレンタルされることを特徴とするイベント観覧用の移動組立式建物。
【発明の詳細な説明】
【０００１】
【発明の属する技術分野】
本発明は、移動組立式建物に関し、例えばゴルフトーナメントにおけるＶＩＰ（ｖｅｒｙ  ｉｍｐｏｒｔａｎｔ  ｐｅｒｓｏｎ）等にイベントを豪華な気分で安全に観覧させることができるイベント観覧用の移動組立式建物に関する。
【０００２】
【従来の技術】
従来、例えばゴルフトーナメントにおけるＶＩＰは、１８番最終ホールの一画に設けられたテント等、いわゆる仮設席でゴルフ観賞していた。仮設席としては、例えば特許公開平９−３１０５２０号公報（移動観客席ユニット空間）に示される移動観客席ユニットのような形の仮設設備が利用可能である。
【０００３】
特許公開平９−３１０５２０号公報には、観戦方向と直交する方向に移動自在の観客席ユニットが設けられ、この観客席ユニットの上部は、観戦方向前方側から後方側にかけて順次高くなるステップが設けられ、かつユニット内部には、コンコース、トイレ及び店舗が含められ、階段室を介して上下階に出入り自在とされたユニット設備が紹介されている。本公報は、あくまで参考例として示したものであり、本ユニットを直接ゴルフ場等屋外イベント会場で利用することは不可能である。
【０００４】
従来のゴルフ場のトーナメントにおけるＶＩＰ仮設席としては、一般的なプレハブをそのまま用いたり、また、足場材を組合せて前記公報に示したようなステップが組まれ利用されていた。
【０００５】
しかしながら、従来の足場組のステップでは、冬季にあっては寒く、夏季にあっては暑い。ＶＩＰは、プレーヤがゴルフ最終ホールに至るまでの待ち時間を含めて耐えざるを得ず、その存在を軽視した感じが有る。プレハブを併用するのも、見た目にも窮屈であり、必ずしも居心地の良いものでは無く、ＶＩＰの存在価値が問われることになる。
【０００６】
米国では、ＶＩＰ観戦室として、大型トレーラに豪華な観賞席を配置し、ＶＩＰをその内部に優待し、ゴルフ観戦させるようにした例が見られる。このトレーラ方式によれば、内部に数十人のＶＩＰを収納可能であり、５０人余りのＶＩＰを１又は２台のトレーラハウスで収容し、観戦させることができる。
【０００７】
しかしながら、我国の例えばゴルフ場では、米国の如きトレーラ方式を採用することは不可能である。大型トレーラは、まず第１にゴルフ場に入れないからである。最終ホールまでの間を大型トレーラが移動すれば、転圧してない敷地に大きな轍が残り、芝が痛み、その補修が大変なことになる。現状日本のゴルフ場では、カートが通れるだけの細い道が付けられているが、トラック重量でいえば４トントラッククラスの通過がせいぜいである。
【０００８】
【特許文献１】
特許公開平９−３１０５２０号公報、第１頁、図１
【０００９】
【発明が解決しようとする課題】
上記の如き従来の技術に鑑みて、本発明は、イベントを豪華気分で観覧できるイベント観覧用の移動組立式建物を提供することを目的とする。
【００１０】
また、この移動組立式建物を期間レンタルできるようにし、各種イベント会場に対し、イベント期間に合わせて所要のときに安価に提供できるようにすることを目的とする。
【００１１】
【課題を解決するための手段】
上記課題を解決することができる本発明のイベント観覧用の移動組立式建物は、
各種イベント開催時、イベント会場の一画に一時的に設置されるイベント観覧用の移動組立式建物であり、
見晴らし台とすべき高さの組立式の架台と、これら架台の周囲を覆うネット又はシート状の化粧材と、前記架台上に設置される組立式の観覧室と、この観覧室の直上に設置される屋外デッキ面と、このデッキ面の上部に設置される組立式の手摺り並びに屋根とを有し、
前記、観覧室の少なくとも前面にはイベント会場を眺めることができる窓を有し、背面及び側面には、地面及び前記観覧室並びに前記デッキ面間を自由に往来できる組立式の階段を設け、
前記観覧室の室内には、観覧用の複数段列の椅子と、冷暖房設備と、前記イベント内容を見ることができるテレビモニターとを有し、前記デッキ面にも観覧用の椅子及びテーブルの設置を必須とすることを特徴とする。
【００１２】
上記構成のイベント観覧用の移動組立式建物は、高さ１．２〜１．８ｍ程度の架台の上に観覧室を有し、この観覧室の少なくとも前面には、前記イベント会場全体を眺めることができる窓と、この窓に面して着席できる複数段列の観覧席を設けている。従って、ＶＩＰ等観客は、室内に着席してイベントを観覧できる。
【００１３】
また、前記観覧室の直上にはデッキ面が設けられ、その上部には手摺りとテント製等の組立式の屋根が設置されている。従って、夏の日差しや小雨を避けて観戦、観賞ができ、観客は一目置かれた環境で試合及び自然を楽しむことができる。しかも、デッキ面は、観覧室の直上に設けられ、これらの間には自由に往来できる階段を設けているので、自由な行動ができ、観客は十分楽しみ、くつろぎながらの観戦、観賞ができる。
【００１４】
前記階段の背面には、専用トイレと、建物の電力を賄うための超低騒音発電機等の所要設備を配置している。従って、如何なる山間のゴルフ場であっても長距離仮設配線による電力給電することもなく、容易に電力供給でき、各種イベントに対し適切居住空間を提供できる。
【００１５】
また本発明のイベント観覧用の移動組立式建物では、各組立部材を、４トン車以下の小さな車両に搭載できる寸法とする。
【００１６】
従って、例えばゴルフ場において、幅員２．５ｍ位の道があれば４トン車以下の小さな車両で各組立部材を運び、組立て設置できる。一般的には、各組立部材は、５ｍ位のフレーム材と、３ｍ×１ｍ程度のパネルとで構成できる。
【００１７】
前記観覧室には、冷暖房装置と、ゴルフ観戦のためのテレビモニターの設置を必須とする。
【００１８】
以上示したイベント観覧用の移動組立式建物において、当該建物は、レンタル商品とし、各イベント開催に応じて期間レンタルし、イベント開始時点でイベント会場の一画に組立て設置し、イベント終了時点で撤去し、次のイベントを行う会場に対してレンタルすることができる。
【００１９】
従って、イベントを開催するゴルフ場等の主催者は、トーナメント等イベントを開催する期間に限ってレンタル設置でき、経費を最小限に止めることができる。また、本発明の移動組立式建物は、組立て式であり、架台を据え、その上に観覧室を設置する形であるのでゴルフ場にあっては芝を痛めず、撤去を容易に行うことができる。
【００２０】
以上示したように、本発明のイベント観覧用の移動組立式建物によれば、時々生ずるイベントに対し、必要な折に必要な期間のみ移動組立し、設置できる。
【００２１】
また、この移動組立式建物は、架台上に観覧室を有し、その直上にデッキを有し、デッキには組立式の屋根を有し、往来できる階段を有するので、ＶＩＰ等観客は、優待された形で快適に観戦、観賞できる。
【００２２】
また、本建物をレンタルとし、時々生ずるイベントに対し貸与する形とすれば、建物を各イベント会場で順次使用する形となり、イベント開催者にとっては、安価にイベントを成功させることができる。
【００２３】
【発明の実施の形態】
以下、イベントがゴルフトーナメントである場合の例を挙げ、添付図面を参照して本発明の実施の形態を説明する。図１及び図２は、本発明の一実施例に係るイベント観覧用の移動組立式建物（以下建物と略称することもある。）の外観を示す正面図及びその右側面図、図３は内部構造を示す平面見取図、図４は上記建物の室内断面図である。
【００２４】
図１及び図２において、本発明の一実施形態に係る移動組立式建物１は、高さ１．８ｍの架台２の上に観覧室３を設置し、その直上にテント製の屋根４を備えたデッキ面５を有して成る。
【００２５】
架台２の設置に際しては、特定部分の転圧と、杭を打つ程度で特に基礎工事はせず、かつ芝面を痛めない様考慮する。
【００２６】
前記観覧室３の前面及び側面には、最終ホールを含めてゴルフ場全体を眺めることができる窓６、７と、前面窓６に面して着席できる複数段列の席８が設けられている。
【００２７】
一方、前記建物１の背面には、地面９及び前記観覧室３並びに前記デッキ面５間を自由に往来できる組立式の階段１０が設けられている。
【００２８】
さらに、前記階段１０の背面には、ＶＩＰ専用トイレ１１と、建物用の電力を賄うための超低騒音発電機１２とを配置している。発電機容量は２５ＫＶＡ程度の中型のディーゼル式のもので良い。発電機１２と建物１の本体部分は、電気ケーブル１３で接続される。
【００２９】
この他付属設備としては、前記観覧室３の内部に２台のエアコン１４と、冷蔵庫１５が配置されている。また、室の前方で二隅には、適宜傾斜角を付けて２台のテレビモニター１６が設置されている。
【００３０】
前記架台２は、ジャッキベース上にベース支柱を立てて支柱とし、多数（四隅及び中央等）の支柱上に架台部材を組んで構成することができる。これら架台部材及び支柱は、容易に組立て可能であり、容易に取り外し可能である。
【００３１】
架台２の周りには、ネット、幕、化粧板等の化粧材によって化粧される。化粧は、ゴルフ上の環境に合わせて、余りに目立つことがない様、緑色又は黒色等の色が施され、その前面には、主催者のマークを含めてトーナメントの表示が施される。
【００３２】
前記観覧室３のガラス窓６、７の広さは、位置等は、組み合わせにより、自由に変更できる。ただし、前面側はゴルフ場を眺めるために必須であり、可能な限り、全面ガラス張りの窓とされる。
【００３３】
観覧室３の内部には、本例では、３列３段の席と、４列３段の席が並設され、合計２１の席８が準備されている。図４に示したように、各段は、後段に行くほど順次高くしている。全員が座ったままで観戦、観賞をできるようにするためである。
【００３４】
図３に示すように、観覧室３の後部で、図において右方には、１階の踊り場１７に対し開閉可能なドア１８が設けられている。従って、観覧室３に着席するＶＩＰは、前面窓６を通じ、プレー又はゴルフ場を観戦又は観賞するもよし、冷蔵庫１５から飲み物を取ってくるもよく、また踊り場１７から階段１９を介して芝面である地面９へ出るもよい。さらに踊り場１７から、階段２０、踊り場２１、階段２２を介して２階のデッキ面５へでるも良し、快適にくつろぎながら観戦できる。各階段１９、２０、２２には、手摺りが設けられている。
【００３５】
前記デッキ面５の背部には、踊り場２３が張り出され、この踊り場２３は、前記踊り場２１と、前記階段２２を介して連絡されている。従って、ＶＩＰは、デッキ面５には全面に手摺りが設けられ、これら手摺りの各隅及び中間点に、前記屋根４の支柱２４が固定されている。従って、屋根４はテント製であるが丈夫であり、風雨によって散材するようなことが無い。
【００３６】
図３において、矢印は、ＶＩＰの移動方向を示す。専用トイレ１１は、両端に男性用と女性用のものが配置され、中央は手洗いが配置されている。簡易水洗で、汲み取り式としている。１週間程度の設置であるので、設置によって下部蓋面が痛むことはない。
【００３７】
以上の構成の移動組立式建物１にあっては、設置、撤去、移動は、全て容易である。即ち、設置は、架台２を組み、観覧室３を組付け、その背面に階段１０を組み、観覧室３の直上面をデッキ面５として手摺りを張り、テント製の屋根を張って終了する。専用トイレ１１と超低騒音発電機１２は置くだけで良い。電線ケーブル１３は、直線的な転がし配線で十分と考えられる。必要ならば架線とすることができる。撤去は、その逆であり、容易に解体できる。解体された各部材は、規格パネル寸法（３ｍ×１ｍ）が最大であるので、４トン車、又は軽自動車でできる。
【００３８】
以上の如くして、ゴルフトーナメント開催期間中、最終ホールに設置されたイベント観覧用の移動組立式建物１は、ＶＩＰの使用に供される。
【００３９】
ＶＩＰは、期間中、自由に使用でき、プレーを観戦し、状況を観賞できる。このとき、架台２上に設置された観覧室３は、見晴らし良く、席８に座ったままでゆっくりと観戦できる。またモニタ１６が設置されているので、各ホールでのプレーをよく観戦できる。ＶＩＰをＶＩＰとして安全、快適におもてなしできる。
【００４０】
図５は、図１〜図４に示した建物１を２棟並設して設けた例を示す。１棟と比べ２倍の収容を行うことができる。このように側面を合わせて設置可能であるので、見た目にも豪華で、ＶＩＰ専用建物として立派なものにすることができる。面を合わせず、一定距離離して設立することもできる。組合せは、２棟に限定されず、収容人員に合わせて３以上とすることもできる。いずれの場合も、前面を最終ホールグリーンに向けて設置する。
【００４１】
以上示したイベント観覧用の移動組立式建物１は、ゴルフトーナメント以外の花火、お祭り、パレード等他のイベントに対しても設置できる。ただし、花火の場合は、本移動組立式建物の構成部材の内、屋根を除いた形で設置するのが良い。
【００４２】
現在日本国内で実施されているゴルフトーナメントは、毎日毎日ではなく、時々と各地で開催される。従って、本発明で示す建物１は、大量生産し、各地に設置するようなものではなく、少ない数の建物１を各地で利用し合う形の建物としなければならない。
【００４３】
全国各地を渡り歩く建物として、４トン車両に組立部材を整理整頓された状態で積載しておき、全国各地の各イベント会場に対し、手際よく移動組立てして回るようにすることもできる。
【００４４】
しかるに本発明では、図１〜図４に示した形のものを規定し、これを組合せて各条件に合わせ利用できるので、総合的経済メリットも大となる。４トン車の入れないゴルフ場が有る場合には、荷物の載せ換えをして、より小さな車両でゴルフ場内に入るようにすることもできる。
【００４５】
本発明は、上記実施形態に限定されるものではなく、本発明の要旨を逸脱しない範囲で設計的変更を加えた内容で実施することができる。
【００４６】
【発明の効果】
以上の通り、本発明のイベント観覧用の移動組立式建物によれば、時々生ずる短期イベントの折、必要な折に必要な期間のみ移動組立て設置できる。
【００４７】
また、この移動組立式建物は、架台上に観覧室を有し、その直上にデッキを有し、デッキには組立式の屋根を有し、観覧室にはイベント会場全体を眺めることのできる窓を有し、さらに各階を往来できる階段と、テレビモニターを有するので、観客は、イベントを優待された状態で快適に観戦、観覧できる。
【００４８】
また、本建物をレンタル商品とし、時々生ずるイベントに対し貸与する形とすれば、建物を各イベント会場で順次使用する形となり、イベント開催者にとっては、建物設置費用を要さず、利用料金のみによって安価にイベントを成功させることができる。
【図面の簡単な説明】
【図１】本発明の一実施形態に係るイベント観覧用の移動組立式建物の正面図である。
【図２】図１の右側面図である。
【図３】上記建物の付属設備まで含めて示す平面見取図である。
【図４】上記建物の室内断面図である。
【図５】上記建物を２連併設して示す正面図である。
【符号の説明】
１  イベント観覧用の移動組立式建物
２  架台
３  観覧室
４  屋根
５  デッキ面
６、７  ガラス窓
８  席
９  地面
１０  階段
１１  ＶＩＰ専用トイレ
１２  超低音発電機
１３  電気ケーブル
１４  エアコン
１５  冷蔵庫
１６  テレビモニター
１７、２１、２３  踊り場
１８  ドア
１９、２０、２２  階段
２４  屋根の支柱
【図１】
2005023544.tif 000003
【図２】
2005023544.tif 000004
【図３】
2005023544.tif 000005
【図４】
2005023544.tif 000006
【図５】
2005023544.tif 000007